【手続補正書】
【提出日】平成27年12月21日(2015.12.21)
【手続補正１】
【補正対象書類名】特許請求の範囲
【補正対象項目名】全文
【補正方法】変更
【補正の内容】
【特許請求の範囲】
【請求項１】
コンテンツが分割されたセグメントを受信する受信装置であって、
セグメントの順序を示すメタデータを受信するメタデータ受信手段と、
前記受信装置のモードがコンテンツを保存する保存モードであるか判定する判定手段と、
前記受信装置のモードがコンテンツを保存する保存モードであると前記判定手段により判定された場合、前記メタデータによって特定される複数のセグメントが、前記メタデータによって示される順序に従って取得されるように、送信装置に対して前記複数のセグメントを取得するための要求を送信するよう制御する一方、前記受信装置のモードが前記コンテンツを保存する保存モードでないと前記判定手段により判定された場合、前記メタデータによって特定される前記複数のセグメントのうち少なくとも１つを取得するための要求を前記送信装置に対して送信しないことを決定する送信制御手段と、
を有する受信装置。
【請求項２】
前記受信装置のモードが保存モードであるか否かを示す保存情報を取得する取得手段をさらに有し、
前記判定手段は、前記受信装置のモードが前記保存モードであるか否かを前記取得手段により取得された前記保存情報に基づいて判定することを特徴とする請求項１に記載の受信装置。
【請求項３】
前記送信制御手段は、前記受信装置のモードが前記保存モードでないと前記判定手段により判定された場合、前記受信手段によって受信されたメタデータによって示される複数のセグメントのうち、順序が最も新しいセグメントの取得要求を送信することを特徴とする請求項１又は２に記載の受信装置。
【請求項４】
前記受信装置のモードが前記保存モードであると前記判定手段により判定された場合、前記送信制御手段によって送信されたセグメントの取得要求に基づいて前記送信装置から送信されたセグメントを受信するセグメント受信手段と、
前記セグメント受信手段によって受信された前記セグメントを保存する保存手段と、を有することを特徴とする請求項１乃至３のいずれか１項に記載の受信装置。
【請求項５】
前記コンテンツには、映像データ、および音声データの少なくともいずれかが含まれることを特徴とする請求項１乃至４のいずれか１項に記載の受信装置。
【請求項６】
コンテンツが分割されたセグメントを受信装置に送信する送信装置であって、
前記セグメントを生成する生成手段と、
前記受信装置のモードがコンテンツを保存する保存モードであるか判定する判定手段と、
前記受信装置のモードがコンテンツを保存する保存モードであると前記判定手段により判定された場合、前記受信装置へ未送信である複数のセグメントが、前記生成手段による生成順序に従って送信されるように、前記受信装置に対して前記複数のセグメントを送信する一方、前記受信装置のモードがコンテンツを保存する保存モードでないと前記判定手段により判定された場合、前記受信装置へ未送信である複数のセグメントのうち少なくとも１つを前記受信装置に対して送信しないことを決定する送信制御手段と
を有する送信装置。
【請求項７】
前記送信制御手段は、前記受信装置のモードが保存モードでないと前記判定手段により判定された場合、前記受信装置に対して未送信である複数のセグメントのうち、前記生成手段により最後に生成されたセグメントに対する取得要求を行うために前記受信装置によって用いられるメタデータを前記受信装置に対して送信することを特徴とする請求項６に記載の送信装置。
【請求項８】
前記コンテンツには、映像データ、および音声データの少なくともいずれかが含まれることを特徴とする請求項６又は７に記載の送信装置。
【請求項９】
撮像手段をさらに有し、
前記生成手段は、前記撮像手段による撮像画像に基づいてセグメントを生成することを特徴とする請求項６乃至８のうちいずれか１項に記載の送信装置。
【請求項１０】
コンテンツが分割されたセグメントを受信する受信装置の制御方法であって、
セグメントの順序を示すメタデータを受信するメタデータ受信工程と、
前記受信装置のモードがコンテンツを保存する保存モードであるか判定する判定工程と、
前記受信装置のモードがコンテンツを保存する保存モードであると前記判定工程により判定された場合、前記メタデータによって特定される複数のセグメントが、前記メタデータによって示される順序に従って取得されるように、送信装置に対して前記複数のセグメントを取得するための要求を送信するよう制御する一方、前記受信装置のモードが前記コンテンツを保存する保存モードでないと前記判定工程により判定された場合、前記メタデータによって特定される前記複数のセグメントのうち少なくとも１つを取得するための要求を前記送信装置に対して送信しないことを決定する送信制御工程と
を有する受信装置の制御方法。
【請求項１１】
コンテンツが分割されたセグメントを受信装置に送信する送信装置の制御方法であって、
前記セグメントを生成する生成工程と、
前記受信装置のモードがコンテンツを保存する保存モードであるか判定する判定工程と、
前記受信装置のモードがコンテンツを保存する保存モードであると前記判定工程により判定された場合、前記受信装置へ未送信である複数のセグメントが、前記生成工程による生成順序に従って送信されるように、前記受信装置に対して前記複数のセグメントを送信するよう制御する一方、前記受信装置のモードがコンテンツを保存する保存モードでないと前記判定工程により判定された場合、前記受信装置へ未送信である複数のセグメントのうち少なくとも１つを前記受信装置に対して送信しないことを決定する送信制御工程と
を有する送信装置の制御方法。
【請求項１２】
コンピュータを請求項１乃至５のいずれか１項に記載の受信装置の各手段として機能させるためのプログラム。
【請求項１３】
コンピュータを請求項６乃至９のいずれか１項に記載の送信装置の各手段として機能させるためのプログラム。
【手続補正２】
【補正対象書類名】明細書
【補正対象項目名】００１１
【補正方法】変更
【補正の内容】
【００１１】
即ち、コンテンツが分割されたセグメントを受信する受信装置であって、セグメントの順序を示すメタデータを受信するメタデータ受信手段と、前記受信装置のモードがコンテンツを保存する保存モードであるか判定する判定手段と、前記受信装置のモードがコンテンツを保存する保存モードであると前記判定手段により判定された場合、前記メタデータによって特定される複数のセグメントが、前記メタデータによって示される順序に従って取得されるように、送信装置に対して前記複数のセグメントを取得するための要求を送信するよう制御する一方、前記受信装置のモードが前記コンテンツを保存する保存モードでないと前記判定手段により判定された場合、前記メタデータによって特定される前記複数のセグメントのうち少なくとも１つを取得するための要求を前記送信装置に対して送信しないことを決定する送信制御手段と、を有する。
【手続補正３】
【補正対象書類名】明細書
【補正対象項目名】００１２
【補正方法】変更
【補正の内容】
【００１２】
また、本発明の送信装置は以下の構成を有する。
【手続補正４】
【補正対象書類名】明細書
【補正対象項目名】００１３
【補正方法】変更
【補正の内容】
【００１３】
即ち、コンテンツが分割されたセグメントを受信装置に送信する送信装置であって、前記セグメントを生成する生成手段と、前記受信装置のモードがコンテンツを保存する保存モードであるか判定する判定手段と、前記受信装置のモードがコンテンツを保存する保存モードであると前記判定手段により判定された場合、前記受信装置へ未送信である複数のセグメントが、前記生成手段による生成順序に従って送信されるように、前記受信装置に対して前記複数のセグメントを送信する一方、前記受信装置のモードがコンテンツを保存する保存モードでないと前記判定手段により判定された場合、前記受信装置へ未送信である複数のセグメントのうち少なくとも１つを前記受信装置に対して送信しないことを決定する送信制御手段と、を有する。